(57)【特許請求の範囲】
【請求項１】
情報を送受信する送受信部と、
伝送対象の情報データを含む通信情報を生成する情報生成部と、
前記送受信部が送信した前記通信情報を受信し中継送信を行う通信先中継装置を登録する中継装置登録部と、
前記中継装置登録部に登録されている通信先中継装置に当該通信先中継装置が前記通信情報を伝えることが可能な端末装置を対応付けた経路情報を記憶する経路情報記憶部と、
通信先中継装置から送信され前記送受信部で受信された受信情報であって、伝送対象の情報データを含む受信情報に含まれる当該通信先中継装置のアドレスおよび送信源端末のアドレスに基づいて前記経路情報を生成し、前記経路情報を前記経路情報記憶部に記憶させる経路解析部と、
を備え、
前記情報生成部は、
前記経路情報に基づいて通信先中継装置を選出し、当該選出された通信先中継装置を識別する識別情報を前記情報生成部が生成する前記通信情報に含ませる識別情報注入手段を備え、
前記中継装置登録部は、
前記通信情報の送信および前記受信情報の受信とは別に行われる複数の中継装置との間の通信に基づいて、当該複数の中継装置の中から通信先中継装置を選択する通信先装置選択部と、
前記中継装置登録部に登録されている第１の通信先中継装置を前記中継装置登録部から登録抹消し、前記中継装置登録部に登録されていない第２の通信先中継装置を前記中継装置登録部に登録する登録交換を前記通信先装置選択部の選択処理に従って行う登録交換手段と、を備え、
前記登録交換手段は、前記登録交換を行うときに、前記第１の通信先中継装置に対応付けられていた前記端末装置を前記第２の通信先中継装置に対応付け、前記経路情報記憶部に経路情報として記憶させることを特徴とする情報伝送装置。
【請求項２】
請求項１に記載の情報伝送装置において、
前記端末装置は、
有線通信網に有線接続された有線端末装置であり、
前記通信先装置選択部は、
前記有線通信網と有線接続がされているか否かに従い前記複数の中継装置に対して定められた優先順位に基づいて、通信先中継装置を選択することを特徴とする情報伝送装置。
【請求項３】
請求項１または請求項２に記載の情報伝送装置であって、
前記通信先装置選択部は、
前記複数の中継装置のそれぞれとの間の通信の品質に従い前記複数の中継装置に対して定められた優先順位に基づいて、前記通信先中継装置を選択することを特徴とする情報伝送装置。
【請求項４】
請求項１から請求項３のいずれか１項に記載の情報伝送装置と、前記複数の中継装置と、前記端末装置と、を含むことを特徴とする通信システム。
【発明の詳細な説明】
【技術分野】
【０００１】
本発明は、端末装置に情報を伝える情報伝達装置に関する。
【背景技術】
【０００２】
複数の情報処理端末装置の間で通信を行う無線通信システムが広く用いられている。図１４に示す構成の無線通信システム３では、情報処理端末装置Ｕ１〜Ｕｍの相互の間で無線通信を行うエリアを形成するための中継装置Ｐ１〜Ｐｎが配置される（ｍおよびｎは任意の自然数）。中継装置Ｐ１〜Ｐｎおよび情報処理端末装置Ｕ１〜Ｕｍのそれぞれは、情報の送受信を行う相手方となる中継装置Ｐ１〜Ｐｎ（自らの装置を除く）または情報処理端末装置Ｕ１〜Ｕｍ（自らの装置を除く）を通信先装置として予め選択する。この選択は、中継装置Ｐ１〜Ｐｎおよび情報処理端末装置Ｕ１〜Ｕｍのそれぞれが、システム環境や情報伝送品質等を確認するための情報を互いに送受信することで、互いの物理的な距離、互いに情報を送受信する際の情報伝送品質等を測定し、その測定結果に基づいて行われることが一般的である。選択結果は、中継装置Ｐ１〜Ｐｎおよび情報処理端末装置Ｕ１〜Ｕｍのそれぞれが備える記憶手段４０に記憶される。
【０００３】
通信情報を送信する源となる情報処理端末装置Ｕ（情報処理端末装置Ｕ１〜Ｕｍのうちいずれかの情報処理端末装置）は、通信先装置として選択した中継装置Ｐ（中継装置Ｐ１〜Ｐｎのうちいずれかの中継装置）に対して通信情報を送信する。通信情報には宛先とする情報処理端末装置Ｕを識別するための宛先端末アドレスを含ませる。また、中継装置Ｐは、通信先装置から取得した通信情報を他の通信先装置に対して送信する。さらに、情報処理端末装置Ｕは、通信先装置から通信情報を受信する。そして、その通信情報に含まれる宛先端末アドレスと当該情報処理端末装置Ｕに割り当てられているアドレスとが一致する場合には、受信した通信情報から必要な情報を取得する。
【０００４】
これによって、通信情報を送信する源となる情報処理端末装置Ｕから送信された通信情報は、通信先装置としての中継装置Ｐを介して、そして状況によってはさらにその中継装置Ｐが通信先装置とする他の中継装置Ｐを介して、宛先とする情報処理端末装置Ｕで取得される。
【０００５】
このように、中継装置Ｐ１〜Ｐｎおよび情報処理端末装置Ｕ１〜Ｕｍのそれぞれが予め通信先装置を選択することにより、情報処理端末装置Ｕ１〜Ｕｍの相互間の通信が中継装置Ｐ１〜Ｐｎを介して行われる通信網が確立される。
【０００６】
図１４の無線通信システム３では、中継装置Ｐは、通信先装置から受信した通信情報を他の通信先装置に対して送信する。中継装置Ｐが予め選択した通信先装置は、一般に複数ある。したがって、中継装置Ｐが予め通信先装置として選択したすべての中継装置Ｐに対して通信情報を送信することとすると、限られた数の中継装置Ｐの間で同一の通信情報の送受信が繰り返されるというループ現象が生じるおそれがある。ループ現象を引き起こしている中継装置Ｐでは、受信された通信情報の情報量が処理能力を超えてしまい、無線通信システム３における情報処理端末装置Ｕ１〜Ｕｍの相互間での無線通信に支障をきたす蓋然性が高くなる。
【０００７】
そこで、中継装置Ｐには、複数の通信先装置の中から当該通信情報を送信するものを決定する通信先装置選択手段４２が設けられる。通信先装置選択手段４２は、宛先端末アドレスに基づいて、当該宛先端末アドレスが割り当てられた情報処理端末装置Ｕに通信情報を伝送するのに適した通信先装置を決定する。これによって、中継装置Ｐは、通信先装置として選択した中継装置Ｐのうち限られたものに対して通信情報を送信するためループ現象が回避される。
【０００８】
【特許文献１】特開２００３−１７４４５２号公報
【特許文献２】特開２００２−２８１０３０号公報
【発明の開示】
【発明が解決しようとする課題】
【０００９】
通信先装置選択手段４２は、情報処理端末装置Ｕのアドレスと、当該情報処理端末装置Ｕに通信情報を伝送するのに適した通信先装置のアドレスとを対応付けた、通信先装置選択情報を記憶している。通信先装置選択手段４２は、自ら記憶する通信先装置選択情報を参照することで、宛先とする情報処理端末装置Ｕに通信情報を伝送するのに適した通信先装置を決定する。
【００１０】
上述のように、通信先装置の選択は、中継装置Ｐ１〜Ｐｎおよび情報処理端末装置Ｕ１〜Ｕｍのそれぞれが、互いに情報を送受信する際の情報伝送品質等の測定結果に基づいて行われる。したがって、中継装置Ｐ１〜Ｐｎおよび情報処理端末装置Ｕ１〜Ｕｍの通信先装置は、随時変更される可能性がある。通信先装置選択手段４２は、選択先装置が変更された場合には、通信先装置選択情報をそのまま適用することができなくなる。それは、通信先装置選択情報が、情報処理端末装置Ｕのアドレスと、当該情報処理端末装置Ｕに通信情報を伝送するのに適した通信先装置のアドレスとを対応付けた情報であるところ、通信先情報が変更されることによりその対応関係をそのまま適用することができなくなるからである。
【００１１】
本発明は、このような課題に対してなされたものである。通信の相手先とする通信先装置が変更された場合であっても通信情報の送信に支障をきたさない情報伝送装置、そのような情報伝送装置を適用した通信システムを提供する。
【課題を解決するための手段】
【００１２】
本発明に係る情報伝送装置は、情報を送受信する送受信部と、伝送対象の情報データを含む通信情報を生成する情報生成部と、前記送受信部が送信した前記通信情報を受信し中継送信を行う通信先中継装置を登録する中継装置登録部と、前記中継装置登録部に登録されている通信先中継装置に当該通信先中継装置が前記通信情報を伝えることが可能な端末装置を対応付けた経路情報を記憶する経路情報記憶部と、通信先中継装置から送信され前記送受信部で受信された受信情報であって、伝送対象の情報データを含む受信情報に含まれる当該通信先中継装置のアドレスおよび送信源端末のアドレスに基づいて前記経路情報を生成し、前記経路情報を前記経路情報記憶部に記憶させる経路解析部と、を備え、前記情報生成部は、前記経路情報に基づいて通信先中継装置を選出し、当該選出された通信先中継装置を識別する識別情報を前記情報生成部が生成する前記通信情報に含ませる識別情報注入手段を備え、前記中継装置登録部は、前記通信情報の送信および前記受信情報の受信とは別に行われる複数の中継装置との間の通信に基づいて、当該複数の中継装置の中から通信先中継装置を選択する通信先装置選択部と、前記中継装置登録部に登録されている第１の通信先中継装置を前記中継装置登録部から登録抹消し、前記中継装置登録部に登録されていない第２の通信先中継装置を前記中継装置登録部に登録する登録交換を前記通信先装置選択部の選択処理に従って行う登録交換手段と、を備え、前記登録交換手段は、前記登録交換を行うときに、前記第１の通信先中継装置に対応付けられていた前記端末装置を前記第２の通信先中継装置に対応付け、前記経路情報記憶部に経路情報として記憶させることを特徴とする。
【００１３】
また、本発明に係る情報伝送装置においては、前記端末装置は、有線通信網に有線接続された有線端末装置であり、前記通信先装置選択部は、前記有線通信網と有線接続がされているか否かに従い前記複数の中継装置に対して定められた優先順位に基づいて、通信先中継装置を選択することが好適である。また、本発明に係る情報伝送装置においては、前記通信先装置選択部は、前記複数の中継装置のそれぞれとの間の通信の品質に従い前記複数の中継装置に対して定められた優先順位に基づいて、前記通信先中継装置を選択することが好適である。
【００１４】
本発明に係る情報伝送装置は、前記複数の中継装置と、前記端末装置と、を適用することによって通信システムを構成することが好適である。
【発明の効果】
【００１５】
本発明によれば、登録交換が行われた直後において、端末装置に情報を伝える中継装置を選出するのに適した経路情報が経路情報記憶部に記憶される。
【発明を実施するための最良の形態】
【００１６】
図１に本発明の実施形態に係る通信システム１の構成を示す。図１の実線は有線通信による接続を示し、破線は無線通信による接続を示す。通信システム１は、情報処理端末装置Ｔ１〜Ｔｐ、有線通信網１００ａおよび１００ｂ、中継装置Ａ１〜Ａｑを備えて構成される（ｐおよびｑは任意の自然数）。情報処理端末装置Ｔｇは有線通信網１００ａに、情報処理端末装置Ｔｈは有線通信網１００ｂに有線接続される。また、中継装置Ａｉは有線通信網１００ａに、中継装置Ａｊは有線通信網１００ｂに有線接続される（ｇおよびｈはそれぞれ異なる１からｐまでの任意の自然数、ｉおよびｊはそれぞれ異なる１からｑまでの任意の自然数）。また、中継装置Ａ１〜Ａｑ、および情報処理端末装置ＴｇおよびＴｈを除く情報処理端末Ｔ１〜Ｔｐは無線通信網を確立する。ここでは、有線通信網が２系統である場合をとりあげているが、任意の数の有線通信網を設けることができる。また、中継装置Ａ１〜Ａｑのうち、有線通信網１００ａおよび１００ｂのそれぞれに有線接続されるものの数も任意とすることができる。
【００１７】
図２に中継装置Ａ（中継装置Ａ１〜Ａｑのうちいずれかの中継装置）の構成を示す。中継装置Ａは、アンテナ１０、接続選択部１２、送受信部１４、通信網確立処理部１６、通信先装置選択部１８、通信先装置記憶部２０、経路解析部２２、経路装置記憶部２４、中継阻止部２６、中継情報生成部２８、自アドレス記憶部３０、登録監視部３８を備えて構成される。
【００１８】
接続選択部１２は、送受信部１４をアンテナ１０に接続するか、有線通信網１００に接続するか、またはアンテナ１０と有線通信網１００の両者に接続するかを選択する。この選択は中継装置Ａが設置される際に行われる。
【００１９】
送受信部１４が、アンテナ１０に接続される場合、送受信部１４は、パケット情報を含む無線信号をアンテナ１０および接続選択部１２を介して受信する。ここで、パケット情報とは、限られた情報量を１つの情報単位とする情報をいう。図２では、パケット情報の経路を実線を以て、その他の情報の経路を破線を以て示している。送受信部１４は、アンテナ１０および接続選択部１２を介して受信された受信信号からパケット情報を抽出し、通信網確立処理部１６、通信先装置選択部１８、経路解析部２２、または中継阻止部２６に入力する。また、送受信部１４は、通信網確立処理部１６または中継情報生成部２８から入力されたパケット情報を無線信号に変換し、接続選択部１２およびアンテナ１０を介して送信する。
【００２０】
また、送受信部１４が有線通信網１００に接続される場合、送受信部１４は接続選択部１２を介して有線通信網１００から信号を受信し、接続選択部１２を介して有線通信網１００へ信号を送信する。
【００２１】
図３に情報処理端末装置Ｔ（情報処理端末装置Ｔ１〜Ｔｐのうちいずれかの情報処理端末装置）の構成を示す。図３では、パケット情報の経路を実線を以て、その他の情報の経路を破線を以て示している。情報処理端末装置Ｔは、アンテナ１０、接続選択部１２、送受信部１４、通信網確立処理部１６、通信先装置選択部１８、通信先装置記憶部２０、経路解析部２２、経路装置記憶部２４、宛先確認部３２、情報取得部３４、送信情報生成部３６、登録監視部３８、自アドレス記憶部３０を備えて構成される。中継装置Ａと同一の構成部については同一の符号を付し、以下の説明において説明を簡略化する。
【００２２】
送受信部１４が、アンテナ１０に接続される場合、送受信部１４は、パケット情報を含む無線信号をアンテナ１０および接続選択部１２を介して受信する。送受信部１４は、アンテナ１０および接続選択部１２を介して受信された受信信号からパケット情報を抽出し、通信網確立処理部１６、通信先装置選択部１８、経路解析部２２、または宛先確認部３２に入力する。また、送受信部１４は、通信網確立処理部１６または送信情報生成部３６から入力されたパケット情報を無線信号に変換し、接続選択部１２およびアンテナ１０を介して送信する。
【００２３】
また、送受信部１４が有線通信網１００に接続される場合、送受信部１４は、接続選択部１２を介して有線通信網１００から信号を受信し、接続選択部１２を介して有線通信網１００へ信号を送信する。送受信部１４が有線通信網１００に接続されるものであるか否かは、情報処理端末装置Ｔが設置される際に予め定められる。
【００２４】
中継装置Ａおよび情報処理端末装置Ｔが備える各構成部が行う処理については、通信システム１の処理と共に説明する。
【００２５】
（１）無線通信網確立処理
無線通信網を確立し、さらにその無線通信網を中継装置Ａ（図１では中継装置Ａｉおよび中継装置Ａｊ）を介して有線通信網１００（図１では有線通信網１００ａおよび有線通信網１００ｂ）に接続するため、通信システム１の中継装置Ａ１〜Ａｑの間では無線通信網確立処理が行われる。ここで、中継装置Ａ１〜Ａｑの間の無線通信網が確立しているとは、中継装置Ａ１〜Ａｑのそれぞれが通信先装置を選択し、中継装置Ａ１〜Ａｑのそれぞれが通信先装置に割り当てられたアドレスを記憶している状態にあることをいう。無線通信網確立処理は、次の（ａ）〜（ｇ）に述べる処理に従って実行される。
【００２６】
（ａ）調査要求パケット情報の取得
中継装置Ａの送受信部１４は、他の中継装置Ａから送信された調査要求パケット情報をアンテナ１０および接続選択部１２を介して取得する。調査要求パケット情報は、情報伝送品質等についての調査ために他の中継装置Ａから送信される情報である。
【００２７】
図４（ａ）に調査要求パケット情報の構成を示す。調査要求パケット情報には、そのパケット情報が調査要求パケット情報である旨を示す調査要求パケット識別子と、それを送信した中継装置Ａのアドレスである送り側アドレスが含まれる。図４（ｂ）は、送り側アドレスがＡａである中継装置Ａａが送信した調査要求パケット情報の例を示す。
【００２８】
送受信部１４は、調査要求パケット識別子によって調査要求パケット情報を取得したことを認識すると、調査要求パケット情報を含んでいた信号の電界強度を測定し、その値を通信網確立処理部１６に入力する。また、調査要求パケット情報を通信網確立処理部１６に入力する。
【００２９】
（ｂ）応答パケット情報の生成および送信
通信網確立処理部１６は、調査要求パケット識別子によって調査要求パケット情報を取得したことを認識すると、調査要求パケット情報を送信した中継装置Ａが取得すべき応答パケット情報を生成する。
【００３０】
図４（ｃ）に応答パケット情報の構成を示す。応答パケット情報は応答パケット識別子、送り側アドレス、受け側アドレス、伝送品質情報、有線接続有無識別子を含む。応答パケット識別子は、そのパケット情報が応答パケット情報である旨を示す。送り側アドレスは、応答パケット情報を送信する中継装置Ａのアドレスを示す。受け側アドレスは、応答パケット情報を取得すべき中継装置Ａのアドレスを示す。伝送品質情報は、調査要求パケット情報を送信した中継装置Ａとの間の通信の情報伝送品質の指標とするための情報であり、調査要求パケット情報を含む信号の電界強度を示す。また、有線接続有無識別子は、応答パケット情報を送信する中継装置Ａが有線通信網１００に有線接続されているか否かを示す。
【００３１】
通信網確立処理部１６は、中継装置Ａに割り当てられたアドレスを記憶する自アドレス記憶部３０から読み込んだ自アドレスを、送り側アドレスとして応答パケット情報に記述する。また、上記（ａ）の処理において取得した調査要求パケット情報に含まれていた送り側アドレスを受け側アドレスとして応答パケット情報に記述する。
【００３２】
また、通信網確立処理部１６は、調査要求パケット情報を含んでいた信号の電界強度の値を送受信部１４から取得し、伝送品質情報として応答パケット情報に記述する。さらに、通信網確立処理部１６は、中継装置Ａが有線通信網１００に有線接続されるものであるか否かの情報を、有線接続有無識別子として応答パケット情報に記述する。
【００３３】
図４（ｄ）は、アドレスがＡｂである中継装置Ａｂの通信網確立処理部１６が生成した応答パケット情報の例を示す。この応答パケット情報は、図４（ｂ）に示す調査要求パケット情報を送信した中継装置Ａａが取得すべきものである。送り側アドレス、受け側アドレス、伝送品質情報、有線接続有無識別子として、それぞれ「Ａｂ」、「Ａａ」、［−５８］、「あり」が記述されている。
【００３４】
通信網確立処理部１６は、このように生成した応答パケット情報を送受信部１４に入力する。送受信部１４は、応答パケット情報を無線信号に変換して接続選択部１２およびアンテナ１０を介して送信する。
【００３５】
（ｃ）調査要求パケット情報の送信
通信網確立処理部１６は、他の中継装置Ａが送信した調査要求パケット情報を取得する一方、調査要求パケット情報を生成して送受信部１４に入力する。送受信部１４は、調査要求パケット情報を無線信号に変換して接続選択部１２およびアンテナ１０を介して送信する。
【００３６】
（ｄ）通信先装置の選択
上記（ｃ）の処理によって送信した調査要求パケット情報を取得した他の中継装置Ａからは、応答パケット情報が送信される。通信先装置選択部１８は、送信された応答パケット情報を、アンテナ１０、接続選択部１２および送受信部１４を介して取得する。取得したパケット情報が応答パケット情報であるか否かの判断は、応答パケット識別子に基づいて行う。通信先装置選択部１８は、応答パケット情報に含まれる受け側アドレスを自アドレス記憶部３０から読み込んだ自アドレスと比較し、それらが一致したときには通信先装置選択部１８が備える一時記憶手段（図示せず）に記憶する。また、取得した応答パケット情報に含まれる受け側アドレスと自アドレス記憶部３０から読み込んだ自アドレスとが一致しないときには、その応答パケット情報は無情報化する等して削除する。
【００３７】
通信先装置選択部１８は、通信網確立処理部１６が送信した複数の調査要求パケット情報に対する複数の応答パケット情報を取得し、一時記憶手段に記憶する。そして、一時記憶手段に記憶された複数の応答パケット情報に含まれる情報に基づいて、Ｍ個以下（Ｍは１以上の整数）の中継装置Ａを通信先装置として選択する。
【００３８】
通信先装置の選択は、応答パケット情報に含まれる伝送品質情報および有線接続有無識別子に基づいて行うことが好適である。例えば、伝送品質が良好である中継装置Ａを優先的に選択する、有線通信網１００との有線接続がある中継装置Ａを優先的に選択する等の優先順位を規定し、当該優先順位に基づいて通信先装置を選択すればよい。
【００３９】
通信先装置選択部１８は、通信先装置として選択した中継装置Ａのアドレスのそれぞれに対し有線通信網接続の有無を対応付けた通信先装置登録情報を、通信先装置記憶部２０に記憶させる。
【００４０】
（ｅ）選択通知パケット情報の送信
通信網確立処理部１６は、通信先装置選択部１８が通信先装置を選択すると、通信先装置として選択した中継装置Ａが取得すべき選択通知パケット情報を生成し、送受信部１４、接続選択部１２およびアンテナ１０を介して送信する。図４（ｅ）に選択通知パケット情報の構成を示す。選択通知パケット情報は選択通知パケット識別子、送り側アドレス、受け側アドレス、有線接続有無識別子を含む。
【００４１】
通信網確立処理部１６は、送り側アドレスに自アドレス記憶部３０から取得した自アドレスを記述する。また、受け側アドレスに通信先装置選択部１８が選択した中継装置Ａのアドレスを記述する。そして、通信網確立処理部１６を備える中継装置Ａが有線通信網１００に有線接続されるものであるか否かの情報を有線接続有無識別子に記述する。通信網確立処理部１６は、生成した選択通知パケット情報を送受信部１４、接続選択部１２およびアンテナ１０を介して送信する。
【００４２】
（ｆ）選択通知パケット情報の取得
通信先装置選択部１８は、他の中継装置Ａから送信された選択通知パケット情報をアンテナ１０、接続選択部１２および送受信部１４を介して取得する。取得したパケット情報が選択通知パケット情報であるか否かの判断は、選択通知パケット識別子に基づいて行う。
【００４３】
（ｇ）通信先装置登録情報への追加登録
通信先装置選択部１８は、選択通知パケット情報に含まれる受け側アドレスを自アドレス記憶部３０から読み込んだ自アドレスと比較し、それらが一致したときには、送り側アドレスおよび有線接続有無識別子を抽出し、通信先装置記憶部２０に記憶されている通信先装置登録情報に追加登録する。また、取得した選択通知パケット情報に含まれる受け側アドレスと自アドレス記憶部３０から読み込んだアドレスとが一致しないときには、その選択通知パケット情報を無情報化する等して削除する。
【００４４】
中継装置Ａ１〜Ａｑのそれぞれにおいては、上記（ａ）〜（ｇ）の処理が繰り返される。これによって、中継装置Ａ１〜Ａｑのそれぞれが備える通信先装置記憶部２０には通信先装置としての中継装置Ａのアドレスが記憶され、中継装置Ａ１〜Ａｑの間の無線通信網が確立される。
【００４５】
なお、ここでは、応答パケット情報には、応答パケット識別子、送り側アドレス、受け側アドレス、伝送品質情報、有線接続有無識別子が含まれるものとしたが、その他様々な情報を含ませることができる。例えば、上記（ａ）〜（ｇ）が繰り返される途中経過における、通信先装置記憶部２０に記憶されている通信先装置登録情報を含ませることとすれば、各中継装置Ａは他の中継装置Ａの通信先装置を認識することができる。これによって、通信システム１において確立されている通信網、すなわち、複数の中継装置Ａの通信先装置の選択関係に関する情報が、複数の中継装置Ａにおいて共有される。この選択関係に関する情報は、通信先装置のアドレスと対応付けて通信先装置登録情報に登録させておくことが好適である。
【００４６】
（２）端末通信網確立処理
上述の無線通信網確立処理では、中継装置Ａ１〜Ａｑの相互間で無線通信の相手方を選択する処理が行われる。通信システム１では、無線通信網確立処理と共に、送受信部１４がアンテナ１０に接続されている中継装置Ａと、送受信部１４がアンテナ１０に接続されている情報処理端末装置Ｔとの間の通信網を確立するための端末通信網確立処理が行われる。
【００４７】
端末通信網確立処理では、無線通信網確立処理と同様、中継装置Ａおよび情報処理端末装置Ｔの両者において、上記（ａ）〜（ｇ）と同一の処理が繰り返される。ただし、ここでの処理においては、有線通信網１００に有線接続される情報処理端末装置Ｔのアドレスには末尾に「（Ｌ）」が付され、無線通信網に無線接続される情報処理端末装置Ｔのアドレスと区別される。
【００４８】
なお、有線通信網１００に有線接続される情報処理端末装置Ｔと有線通信網１００に有線接続される中継装置Ａとの間の通信網の確立については、有線ＬＡＮシステム等の周知のシステムによって実現することができるため、ここでは説明を省略する。
【００４９】
図５に、上述の無線通信網確立処理および端末通信網確立処理によって中継装置Ａの通信先装置記憶部２０に記憶された通信先装置登録情報の例を示す。この例では、アドレスがそれぞれ「Ａγ」、「Ａα」、「Ａη」、「Ａξ」である中継装置Ａγ，Ａα，Ａη，Ａξ、およびアドレスがそれぞれ「Ｔσ」、「Ｔα（Ｌ）」、「Ｔβ」である情報処理端末装置Ｔσ，Ｔα，Ｔβが通信先装置として選択されており、それぞれの有線通信網接続の有無が「あり」、「なし」、「なし」、「なし」、「なし」、「あり」、「なし」である場合を示す。中継装置Ａγ，Ａα，Ａη，Ａξは、無線通信網確立処理によって選択された装置であり、情報処理端末装置Ｔσ，Ｔα，Ｔβは端末通信網確立処理によって選択された装置である。Ｍは無線通信網確立処理によって選択される装置の数の上限、Ｎは端末通信網確立処理によって選択される装置の数の上限を示す。
【００５０】
このようにして、有線通信網１００、中継装置Ａ、および情報処理端末装置Ｔを含んで構成される通信網が確立される。例として、図６に示すように、中継装置Ａ１〜Ａ３および情報処理端末装置Ｔ１〜Ｔ３から構成される通信システム１ａをとりあげる。図６の実線は有線通信による通信網を示し、破線は無線通信による通信網を示す。中継装置Ａ１、Ａ２およびＡ３との間では無線通信網確立処理が実行される。図６は、無線通信網確立処理が実行された結果、中継装置Ａ１およびＡ２が互いを通信先装置として選択し、中継装置Ａ２およびＡ３が互いを通信先装置として選択した場合を示す。また、情報処理端末装置Ｔ２およびＴ３と、中継装置Ａ１〜Ａ３との間では、端末通信網確立処理が実行される。図６は、端末通信網確立処理が実行された結果、中継装置Ａ２および情報処理端末装置Ｔ２が互いを通信先装置として選択し、中継装置Ａ３および情報処理端末装置Ｔ３が互いを通信先装置として選択した場合を示す。このとき、中継装置Ａ１〜Ａ３が備える通信先装置記憶部２０が記憶する通信先装置登録情報は、それぞれ図７（Ａ１）〜図７（Ａ３）のようになる。また、情報処理端末装置Ｔ１〜Ｔ３が備える通信先装置記憶部２０が記憶する通信先装置登録情報は、それぞれ図７（Ｔ１）〜図７（Ｔ３）のようになる。
【００５１】
（３）データパケット情報の送受信
次に、通信システム１において、情報処理端末装置Ｔ１〜Ｔｐの相互間で文書、画像、音声、プログラム等の情報データを含むデータパケット情報が送受信される処理について説明する。
【００５２】
図８に通信システム１で扱われるデータパケット情報の構成を示す。データパケット情報は、送信源端末アドレス、宛先端末アドレス、送信装置アドレス、受信装置アドレス、中継ヘッダ、情報データを含んで構成される。
【００５３】
送信源端末アドレスは、データパケット情報を送信する源となる情報処理端末装置Ｔのアドレスであり、宛先端末アドレスは、データパケット情報の宛先とする情報処理端末装置Ｔのアドレスである。送信装置アドレスは、データパケット情報を送信する装置のアドレスであり、受信装置アドレスは、データパケット情報を受信した装置が、それを取得すべきか否かを判断するためのアドレスである。中継ヘッダは、中継回数制限情報、一段手前中継装置アドレスを含んで構成され、通信システム１におけるデータパケット情報の送受信を制御するための情報を含む。
【００５４】
情報処理端末装置Ｔが、データパケット情報を送信する処理について図３を参照して説明する。ここでは、送受信部１４が接続選択部１２によってアンテナ１０に接続されている場合について説明するが、送受信部１４が接続選択部１２によって有線通信網１００に接続されている場合、または送受信部１４が接続選択部１２によってアンテナ１０および有線通信網１００の両者に接続されている場合についても、データパケット情報を送受信するための媒体が異なるのみであるため、同一の処理を実行することができる。
【００５５】
情報処理端末装置Ｔの送信情報生成部３６はデータパケット情報を生成する。送信情報生成部３６は、自アドレス記憶部３０から自アドレスを読み込み、送信源端末アドレスおよび送信装置アドレスとして自アドレスをデータパケット情報に記述する。また、宛先とする情報処理端末装置Ｔのアドレスを宛先端末アドレスとしてデータパケット情報に記述する。さらに、送信情報生成部３６は、経路装置記憶部２４に記憶されている経路装置登録情報を参照し、宛先とする情報処理端末装置Ｔと、それに対応する中継装置Ａが経路装置登録情報に登録されているか否かを確認する。そして、登録されている場合には、当該中継装置Ａのアドレスを取得し、受信装置アドレスとしてデータパケット情報に記述する。
【００５６】
ここで、経路装置登録情報とは、宛先とする情報処理端末装置Ｔのアドレスと、当該情報処理端末装置Ｔにデータパケット情報を送信する際に中継送信を行わせるのに適した中継装置Ａのアドレスとを対応付けた情報である（宛先とする情報処理端末装置Ｔが通信先装置として選択されている場合には当該情報処理端末装置Ｔが対応付けられることとなる。以下の説明において同じとする）。例えば、図９（ａ）に示す経路装置登録情報では、アドレスがそれぞれ「Ｔγ」、「Ｔα（Ｌ）」、「Ｔη」である情報処理端末装置Ｔγ，Ｔα，Ｔηに対して、アドレスがそれぞれ「Ａσ」、「Ａα」、「Ａβ」である中継装置Ａσ，Ａα，Ａβがそれぞれ対応付けられている。情報処理端末装置Ｔγを宛先とする場合、中継装置Ａσを受信装置アドレスとすればよい。経路装置登録情報は、経路解析部２２が行う経路装置登録処理によって生成されるが、その具体的な処理の内容については後述する。
【００５７】
送信情報生成部３６は、宛先とする情報処理端末装置Ｔと、それに対応する中継装置Ａが経路装置登録情報に登録されていない場合には、受信装置同報アドレスを受信装置アドレスとしてデータパケット情報に記述する。受信装置同報アドレスとは、通信システム１を構成する中継装置Ａ１〜Ａｑのそれぞれに割り当てられたアドレスと同一であるとみなされるアドレスである。
【００５８】
送信情報生成部３６は、中継回数を０とした中継回数情報を中継ヘッダに記述する。また、ここでは中継ヘッダの一段手前中継装置アドレスには特に意味のある情報を記述しなくてもよいが、データパケット情報に汎用性（当該データパケット情報を受信した装置が応用処理を行う等）を持たせるため自アドレスを記述しておくこともできる。さらに、送信情報生成部３６は、文書、画像、音声、プログラム等の情報データをデータパケット情報に含ませる。
【００５９】
送信情報生成部３６は、このようにして生成したデータパケット情報を送受信部１４、接続選択部１２およびアンテナ１０を介して送信する。
【００６０】
次に、情報処理端末装置Ｔが、データパケット情報を受信する処理について図３を参照して説明する。情報処理端末装置Ｔの宛先確認部３２は、アンテナ１０、接続選択部１２および送受信部１４を介してデータパケット情報を取得する。そして、データパケット情報に含まれる宛先端末アドレスを抽出し、自アドレス記憶部３０から読み込んだ自アドレスを比較する。宛先確認部３２は、宛先端末アドレスと自アドレスとが一致した場合にはデータパケット情報を情報取得部３４へ入力し、一致しない場合には取得したデータパケット情報を無情報化する等して削除する。
【００６１】
情報取得部３４は、宛先確認部３２から入力されたデータパケット情報から、情報データを抽出して取得する。
【００６２】
このように、データパケット情報を受信した情報処理端末装置Ｔにおいては、宛先端末アドレスが自アドレスと一致しないデータパケット情報については無情報化され、宛先端末アドレスが自アドレスと一致するデータパケット情報から情報データが取得される。これによって、データパケット情報を送信する源となる情報処理端末装置Ｔにおいて宛先として指定された情報処理端末装置Ｔでデータパケット情報が取得される。
【００６３】
次に、中継装置Ａがデータパケット情報を受信して中継送信する処理について図２を参照して説明する。ここでは、送受信部１４が接続選択部１２によってアンテナ１０に接続されている場合について説明するが、送受信部１４が接続選択部１２によって有線通信網１００に接続されている場合、または送受信部１４が接続選択部１２によってアンテナ１０および有線通信網１００の両者に接続されている場合についても同一の処理を実行することができる。
【００６４】
中継阻止部２６は、アンテナ１０、接続選択部１２および送受信部１４を介してデータパケット情報を取得する。そして、データパケット情報に含まれる受信装置アドレスを抽出し、自アドレス記憶部３０から読み込んだ自アドレスと比較する。ここで、受信装置アドレスが受信装置同報アドレスである場合には、自アドレスと一致するものとして処理するものとする。中継阻止部２６は、抽出した受信装置アドレスと自アドレスとが一致しない場合には、取得したデータパケット情報を無情報化する等して削除する。
【００６５】
また、抽出した受信装置アドレスと自アドレスとが一致した場合には、データパケット情報の中継ヘッダに含まれる中継回数情報を抽出し、予め定められた中継制限回数と比較する。中継回数情報が示す中継回数が中継制限回数を超えた場合、取得したデータパケット情報は無情報化する等して削除する。
【００６６】
中継回数情報が示す中継回数が中継制限回数以下である場合、中継阻止部２６は、さらにデータパケット情報の中継ヘッダに含まれる一段手前中継装置アドレスを抽出し、自アドレス記憶部３０から読み込んだ自アドレスと比較する。そして、一段手前中継装置アドレスと自アドレスとが一致した場合には、取得したデータパケット情報を無情報化する等して削除する。
【００６７】
このように、受信装置アドレスと自アドレスとが一致しないデータパケット情報、中継回数が中継制限回数を超えたデータパケット情報、一段手前中継装置アドレスと自アドレスとが一致するデータパケット情報は中継阻止部２６において削除される。そして中継阻止部２６において削除されなかったデータパケット情報は中継情報生成部２８に入力される。
【００６８】
中継情報生成部２８は、中継阻止部２６から入力されたデータパケット情報に含まれる送信装置アドレス、受信装置アドレスおよび中継ヘッダを中継送信のために書き換える。中継情報生成部２８は、中継ヘッダの一段手前中継装置アドレスとして、入力されたデータパケット情報に含まれていた送信装置アドレスを記述する。また、中継ヘッダの中継回数情報として、入力されたデータパケット情報に含まれていた中継ヘッダの中継回数情報が示す中継回数を１だけ増加させた中継回数情報を中継ヘッダに記述する。
【００６９】
また、中継情報生成部２８は、入力されたデータパケット情報に含まれる送信装置アドレスに、自アドレス記憶部３０から読み込んだ自アドレスを上書きする。さらに、経路装置記憶部２４に記憶されている経路装置登録情報を参照し、宛先とする情報処理端末装置Ｔと、それに対応する中継装置Ａが経路装置登録情報に登録されているか否かを確認する。宛先とする情報処理端末装置Ｔと、それに対応する中継装置Ａが登録されている場合には、当該中継装置Ａのアドレスを取得し、入力されたデータパケット情報に含まれる受信装置アドレスに上書きする。宛先とする情報処理端末装置Ｔと、それに対応する中継装置Ａが登録されていない場合には、入力されたデータパケット情報に含まれる受信装置アドレスに、受信装置同報アドレスを上書きする。
【００７０】
中継情報生成部２８は、このように送信装置アドレス、受信装置アドレスおよび中継ヘッダを変更したデータパケット情報を送受信部１４、接続選択部１２およびアンテナ１０を介して送信する。なお、中継情報生成部２８は、送信源端末アドレス、宛先端末アドレス、および情報データの変更は行わない。
【００７１】
このように、中継装置Ａは、中継阻止部２６が行う処理によって、受信装置アドレスが自アドレスと一致しないデータパケット情報を無情報化し、受信装置アドレスが自アドレスと一致するデータパケット情報を中継送信する。受信装置アドレスと自アドレスとが一致しないデータパケット情報が削除されることによって、宛先とする情報処理端末装置Ｔにデータパケット情報を中継送信するために適切でない中継装置Ａが中継送信を行ってしまうという無駄を回避することができる。
【００７２】
また、中継阻止部２６において、中継回数が中継制限回数を超えたデータパケット情報が削除されることによって、受信装置同報アドレスを含むデータパケット情報のループ現象や、宛先とする情報処理端末装置Ｔから離れる方向に多数の中継装置Ａを介して受信装置同報アドレスを含むデータパケット情報が伝えられてしまうという無駄を排除することができる。さらに、一段手前中継装置アドレスと自アドレスとが一致するデータパケット情報が削除されることによって、先に自らが送信した受信装置同報アドレスを含むデータパケット情報を中継送信してしまうという無駄を排除することができる。
【００７３】
中継装置Ａがデータパケット情報を送信する際には、他の中継装置Ａまたは宛先とする情報処理端末装置Ｔが当該データパケット情報を処理するための内容に書き換えられるため、データパケット情報は、既に確立された通信網に従って宛先とする情報処理端末装置Ｔで取得される。
【００７４】
なお、受信したデータパケット情報に含まれる送信源端末アドレスおよび送信装置アドレスは、次に説明する経路装置登録処理において有用である。
【００７５】
（４）経路装置登録処理
通信システム１では、データパケット情報の送受信が行われると共に、中継装置Ａおよび情報処理端末装置Ｔが備える経路解析部２２が経路装置登録情報を生成し、経路装置記憶部２４に記憶させる経路装置登録処理を行う。ここでは、中継装置Ａが行う経路装置登録処理について説明するが、情報処理端末装置Ｔが行う経路装置登録処理は中継装置Ａが行うものと同一であるため説明を省略する。また、ここでは、送受信部１４が接続選択部１２によってアンテナ１０に接続されている場合について説明するが、送受信部１４が接続選択部１２によって有線通信網１００に接続されている場合、または送受信部１４が接続選択部１２によってアンテナ１０および有線通信網１００の両者に接続されている場合についても同一の処理を実行することができる。
【００７６】
経路解析部２２は、アンテナ１０、接続選択部１２および送受信部１４を介してデータパケット情報を取得する。そして、取得したデータパケット情報から、送信源端末アドレスと送信装置アドレスとを抽出する。また、経路解析部２２は、通信先装置記憶部２０を参照し、抽出した送信装置アドレスが通信先装置登録情報に登録されているか否かを確認する。当該送信装置アドレスが通信先装置登録情報に登録されている場合には、抽出した送信源端末アドレスと送信装置アドレスとを対応付けて経路装置登録情報に登録し、その内容を経路装置記憶部２４に記憶させる。一方、当該送信装置アドレスが通信先装置登録情報に登録されていない場合には、このような処理は行わない。
【００７７】
また、経路装置記憶部２４は、このようにして記憶された送信源端末アドレスと送信装置アドレスとを対応付けた複数の情報のうち、所定時間内に再登録されないものを消去し、経路装置登録情報から登録抹消する。
【００７８】
同一のデータパケット情報に含まれる送信源端末アドレスと送信装置アドレスは、当該送信源端末アドレスが割り当てられた情報処理端末装置Ｔから送信されたデータパケット情報が、当該送信装置アドレスが割り当てられた中継装置Ａを介して送信されたことを意味する。これは、逆に、当該送信源端末アドレスが割り当てられた情報処理端末装置Ｔへの通信網が、当該送信装置アドレスが割り当てられた中継装置Ａを含んで確立されていることをも意味する。すなわち、送信源端末アドレスが割り当てられた情報処理端末装置Ｔを宛先とする場合、送信装置アドレスが割り当てられた中継装置Ａに中継送信を行わせることが好適であるということができる。
【００７９】
なお、抽出した送信装置アドレスが通信先装置登録情報に登録されているか否かを確認するのは、通信先装置として選択されていない中継装置Ａを経路装置登録情報に登録してしまうことを避けるためである。
【００８０】
経路装置登録処理が実行されることによって、複数の中継装置Ａのうち限られたものがデータパケット情報を取得することとなるため、限られた数の中継装置Ａの間で同一の情報データの送受信が繰り返されるというループ現象が生じる頻度を低減することができる。
【００８１】
また、経路装置記憶部２４に記憶された、情報処理端末装置Ｔのアドレスと中継装置Ａのアドレスとを対応付けた複数の情報のうち、所定時間内に再登録されないものが消去されることにより、経路装置記憶部２４で記憶すべき情報量が削減される。所定時間内に再登録のない情報に係る情報処理端末装置Ｔは、移動等により中継装置Ａ１〜Ａｑから遠ざかったり、電源が遮断されたりしていることにより通信が途絶えていること多い。そのため、記憶されてから消去されるまでの時間を十分長くしておけば、このような情報処理端末装置Ｔについての情報が経路装置記憶部２４から消去されても問題は生じない。
【００８２】
さらに、情報処理端末装置Ｔが移動し、情報処理端末装置Ｔが選択する通信先装置が上記（２）で説明した端末通信網確立処理によって変更された場合であっても、当該情報処理端末装置Ｔがデータパケット情報を送信することで、それを受信した中継装置Ａの経路装置記憶部２４には新たな経路装置登録情報が記憶される。
【００８３】
例として、図６に示すような通信網が確立されている場合において、情報処理端末装置Ｔ１から情報処理端末装置Ｔ３宛てにデータパケット情報が送信される場合についてとりあげる。この場合、中継装置Ａ１から中継装置Ａ２へは図９（ｂ）に示すようなデータパケット情報が送信される。中継装置Ａ２が備える経路解析部２２は、データパケット情報から送信源端末アドレスＴ１（Ｌ）と送信装置アドレスＡ１とを抽出する。いま、中継装置Ａ２の通信先装置記憶部２０には図７（Ａ２）に示すような通信先装置登録情報が記憶されている。図７（Ａ２）からわかるように、送信装置アドレスとして記述されているアドレスＡ１は通信先装置登録情報に登録されているため、経路解析部２２はアドレスＴ１（Ｌ）とアドレスＡ１とを対応付けて経路装置登録情報に登録し、その内容を経路装置記憶部２４に追加して記憶させる。例えば、経路装置記憶部２４に図９（ａ）に示すような経路装置登録情報が記憶されていた場合には、新たな経路装置登録情報は図９（ｃ）のようになる。
【００８４】
通信システム１においては、データパケット情報の送受信が繰り返されることによって、中継装置Ａ１〜Ａｑおよび情報処理端末装置Ｔ１〜Ｔｐのそれぞれが備える経路装置記憶部２４に、新たな情報が登録された経路装置登録情報が記憶されていく。図６のように通信網が確立している場合には、中継装置Ａ１〜Ａ３、および情報処理端末装置Ｔ１〜Ｔ３の経路装置記憶部２４に記憶される経路装置登録情報は、それぞれ図１０（Ａ１）〜図１０（Ａ３）、および図１０（Ｔ１）〜図１０（Ｔ３）に示される内容に収束する。
【００８５】
（５）受信装置同報アドレスを受信装置アドレスとして記述する処理
上述のように、中継装置Ａが備える中継情報生成部２８および情報処理端末装置Ｔが備える送信情報生成部３６がデータパケット情報を生成する処理では、経路装置記憶部２４に記憶されている経路装置登録情報を参照する。そして、データパケット情報を取得すべき通信先装置として適した中継装置Ａのアドレスを取得し、受信装置アドレスとしてデータパケット情報に記述する。
【００８６】
しかし、上述の経路装置登録処理は、実際にデータパケット情報の送受信がなされる過程において行われるものであるため、通信網が確立した直後であって未だデータパケット情報の送受信がなされていない状態では、経路装置登録情報が生成されていない。この場合、宛先とする情報処理端末装置Ｔのアドレスと中継装置Ａのアドレスとを対応付けた情報は登録されていないこととなる。
【００８７】
また、実際に何らかのデータパケット情報の送受信がなされ、経路装置登録処理が行われていたとしても、宛先とする情報処理端末装置Ｔのアドレスと中継装置Ａのアドレスとを対応付けた情報が生成されているとは限らない。それは、宛先とする情報処理端末装置Ｔが事前にデータパケット情報を送信していない限り、その情報処理端末装置Ｔに対応する中継装置Ａが登録されることはないためである。
【００８８】
そこで、本実施形態に係る中継情報生成部２８および送信情報生成部３６では、経路装置登録情報が未だ生成されていない場合、または経路装置登録情報に宛先とする情報処理端末装置Ｔのアドレスと中継装置Ａのアドレスとを対応付けた情報が登録されていない場合には、受信装置同報アドレスを受信装置アドレスとしてデータパケット情報に記述する。
【００８９】
このように、受信装置同報アドレスを受信装置アドレスとしてデータパケット情報に記述したとしても、中継装置Ａの中継阻止部２６では、受信装置同報アドレスと自アドレスとが一致するものと判断されるため、当該中継装置Ａで取得されたデータパケット情報が削除されることはない。また、中継ヘッダに基づく中継装置Ａの処理により、データパケット情報のループ現象や、宛先とする情報処理端末装置Ｔから離れる方向に多数の中継装置Ａを介してデータパケット情報が伝えられてしまうという問題は回避される。
【００９０】
（６）通信先装置交換処理
無線通信網確立処理および端末通信網確立処理においては、中継装置Ａ１〜Ａｑおよび情報処理端末装置Ｔ１〜Ｔｐのそれぞれは、上記（１）（ａ）〜（ｇ）で説明した処理を繰り返す。そして、通信先装置を選択し、通信先装置に割り当てられたアドレスを記憶することで通信網を確立する。
【００９１】
上述の例によれば、通信先装置の選択は、応答パケット情報に含まれる伝送品質情報および有線接続有無識別子に基づいて行われる。伝送品質情報は、中継装置Ａ１〜Ａｑおよび情報処理端末装置Ｔ１〜Ｔｐの移動等による物理的な位置関係の変化や、障害物等の出現による無線信号の伝搬状況の変化に応じて変化する。したがって、中継装置Ａ１〜Ａｑおよび情報処理端末装置Ｔ１〜Ｔｐのそれぞれが選択する通信先装置は、随時変更される可能性がある。
【００９２】
通信先装置が変更される場合、通信先装置記憶部２０に記憶されているアドレスが変更される。例えば、中継装置Ａにおいて、図１１（Ａ−１）に示す通信先装置登録情報が通信先装置記憶部２０に記憶されている場合についてとりあげる。図１１（Ａ−１）に示す通信先装置登録情報は、通信先装置としてアドレスがそれぞれ「Ａγ」および「Ａα」である中継措置ＡγおよびＡα、ならびにアドレスがそれぞれ「Ｔσ」，「Ｔα（Ｌ）」，「Ｔβ」である情報処理端末装置Ｔσ，Ｔα，およびＴβを選択している状態を示す。ここで、中継装置Ａαを通信先装置として選択すること取りやめ、代わりに中継装置Ａφを選択することとした場合には、通信先装置記憶部２０が記憶する通信先装置登録情報は図１１（Ａ−２）のようになる。すなわち、中継装置Ａαのアドレス「Ａα」が登録抹消され、代わりに中継装置Ａφのアドレス「Ａφ」が新規登録される。
【００９３】
通信先装置登録情報に登録されているアドレスが変更された場合には、経路装置記憶部２４に記憶されている経路装置登録情報にも変更を加えることが好ましい。それは、経路装置登録情報は、宛先とする情報処理端末装置Ｔのアドレスと中継装置Ａのアドレスとを対応付けた情報であるところ、その中継装置Ａのアドレスが通信先装置登録情報から登録抹消された場合には、もはやその対応関係を適用することができないためである。
【００９４】
そこで、本実施形態に係る登録監視部３８は、通信先装置登録情報に登録されているアドレスを監視し、監視結果に基づいて経路装置記憶部２４に記憶されている経路装置登録情報を変更する。具体的には、通信先装置登録情報に対して登録抹消および新規登録があった場合、経路装置登録情報に登録抹消されたアドレスが登録されている場合には、新規登録されたアドレスを当該登録抹消されたアドレスに上書きする。例えば、中継装置Ａにおいて、図１２（Ａ−１）に示す経路装置登録情報が記憶されている場合についてとりあげる。図１２（Ａ−１）に示す経路装置登録情報は、アドレスがそれぞれ「Ｔξ」、「Ｔψ」、「Ｔο」である情報処理端末装置Ｔξ，Ｔψ，Ｔοに対して、アドレスがそれぞれ「Ａγ」、「Ａα」、「Ａα」である中継装置Ａγ，Ａα，Ａαがそれぞれ対応付けられていることを示す。ここで、図１１（Ａ−１）および図１１（Ａ−２）に示されるように中継装置Ａαのアドレス「Ａα」が登録抹消され、代わりに中継装置Ａφのアドレス「Ａφ」が登録された場合には、図１２（Ａ−１）の経路装置登録情報のアドレス「Ａα」にアドレス「Ａφ」が上書きされ、経路装置登録情報は図１２（Ａ−２）のように変更される。
【００９５】
また、より具体的な例として、図６に示すような通信網が確立されている状態において、図１３に示すように、中継装置Ａ３が通信先装置として中継装置Ａ２を選択することを取りやめ、代わりに中継装置Ａ４を選択することとなった場合についてとりあげる。中継装置Ａ３の通信先装置記憶部２０には、初め図１１（Ａ３−１）に示す通信先登録情報が記憶されている。その後、無線通信網確立処理によって、アドレスＡ２が登録抹消され、アドレスＡ４が新規に登録されることにより、通信先登録情報は、図１１（Ａ３−２）に示すような内容となる。
【００９６】
一方、中継装置Ａ３の経路装置記憶部２４には、初め図１２（Ａ３−１）に示すような経路装置登録情報が記憶されている。これは、図１０（Ａ３）と同一のものである。登録監視部３８は、通信先登録情報が、図１１（Ａ３−１）から図１１（Ａ３−２）のように変更されたことを認識すると、図１２（Ａ３−１）に示す経路装置登録情報におけるアドレスＡ２にアドレスＡ４を上書きする。その結果、中継装置Ａ３の経路装置記憶部２４に記憶される経路装置登録情報は、図１２（Ａ３−２）のようになる。
【００９７】
このようにして変更された経路装置登録情報は、先に選択し、その後選択を取りやめた通信先装置について経路装置登録情報に登録されていた内容をそのまま援用したものである。したがって、経路装置登録情報が変更された当初において、最終的に収束した経路装置登録情報が得られるとは限らない。この場合、経路装置登録情報は、上記（４）で述べた経路装置登録処理によって最終的な内容に収束していくこととなる。しかし、無線通信網確立処理によって登録抹消された中継装置Ａと新規登録された中継装置Ａは、通信先装置として選択されるための条件が近接している関係にある場合が多く、対応付けられるべき情報処理端末装置Ｔは同一であることがほとんどである。すなわち、通信先装置登録情報に対して登録抹消および新規登録があった場合、当該登録抹消に係る中継装置Ａと当該新規登録に係る中継装置Ａとの間では、伝送品質情報および有線接続有無識別子に基づいて行われる通信先装置の選択条件が近接している。したがって、経路装置登録情報が変更された当初においても、その情報処理端末装置Ｔと中継装置Ａとの対応付けが有効である場合が多く、経路装置登録処理が実行されなくとも最終的に収束した経路装置登録情報が得られる確率は高いものといえる。
【００９８】
このように、登録監視部３８が経路装置記憶部２４に記憶されている経路装置登録情報を変更することによって、通信先装置が変更された場合であっても、最終的に収束した経路装置登録情報を迅速に取得することができる。
【図面の簡単な説明】
【００９９】
【図１】本発明の実施形態に係る通信システムの構成を示す図である。
【図２】本発明の実施形態に係る中継装置の構成を示す図である。
【図３】本発明の実施形態に係る情報処理端末装置の構成を示す図である。
【図４】無線通信網確立処理において送受信されるパケット情報の構成を示す図である。
【図５】無線通信網確立処理と端末通信網確立処理によって通信先装置記憶部に記憶された通信先装置登録情報の例を示す図である。
【図６】無線通信網確立処理および端末通信網確立処理によって確立された通信網の例を示す図である。
【図７】通信先装置登録情報の例を示す図である。
【図８】データパケット情報の構成を示す図である。
【図９】経路装置登録情報の構成および経路装置登録情報に情報が登録される過程を示す図である。
【図１０】経路装置登録情報の例を示す図である。
【図１１】通信先装置登録情報が変更される様子を示す図である。
【図１２】経路装置登録情報が変更される様子を示す図である。
【図１３】中継装置Ａ３が通信先装置として中継装置Ａ２を選択することを取りやめ、代わりに中継装置Ａ４を選択する様子を示す図である。
【図１４】無線通信システムの構成を示す図である。
【符号の説明】
【０１００】
１，１ａ  通信システム、３  無線通信システム、１０  アンテナ、１２  接続選択部、１４  送受信部、１６  通信網確立処理部、１８  通信先装置選択部、２０  通信先装置記憶部、２２  経路解析部、２４  経路装置記憶部、２６  中継阻止部、２８  中継情報生成部、３０  自アドレス記憶部、３２  宛先確認部、３４  情報取得部、３６  送信情報生成部、３８  登録監視部、４０  記憶手段、４２  通信先装置選択手段、１００，１００ａ，１００ｂ  有線通信網、Ａ，Ａ１〜Ａｑ，Ｐ，Ｐ１〜Ｐｎ  中継装置、Ｔ，Ｔ１〜Ｔｐ，Ｕ，Ｕ１〜Ｕｍ  情報処理端末装置。  
【図１】
0004644092.tif 000002
【図２】
0004644092.tif 000003
【図３】
0004644092.tif 000004
【図４】
0004644092.tif 000005
【図５】
0004644092.tif 000006
【図６】
0004644092.tif 000007
【図７】
0004644092.tif 000008
【図８】
0004644092.tif 000009
【図９】
0004644092.tif 000010
【図１０】
0004644092.tif 000011
【図１１】
0004644092.tif 000012
【図１２】
0004644092.tif 000013
【図１３】
0004644092.tif 000014
【図１４】
0004644092.tif 000015